(57)【要約】【課題】室外機器の脚部の周りに発生する水溜り等を形成する液体の量を抑制すること。【解決手段】耐食性を有する耐食層を両面それぞれの表層に備えた鋼板を用いて設けられ、室外の設置面Ｓに設置される室外機器１の脚部４０は、設置面Ｓに固定部材Ｒによって固定される固定部４１と、固定部４１から連続して設置面Ｓから離れた位置に設けられ、室外機器１の本体部１０が取り付けられた取付部４２と、を備えている。固定部４１は、両面の一方側の面であって設置面Ｓに接触する面である接触面４１ｂ１を有する接触部４１ｂと、接触面４１ｂ１の周囲に、接触面４１ｂ１から連続して固定部４１の端にかけて設けられた面であって、設置面Ｓから離れて、かつ設置面Ｓに対向するように設けられるとともに、設置面Ｓとの間に液体Ｌが介在する場合、液体Ｌを接触面４１ｂ１側に案内する面である案内面４１ｃ１を有する案内部４１ｃと、を備えている。【選択図】  図４
2018206496.tif 000002
【特許請求の範囲】
【請求項１】
耐食性を有する耐食層を両面それぞれの表層に備えた鋼板を用いて設けられ、室外の設置面に設置される室外機器の脚部であって、
前記設置面に固定部材によって固定される固定部と、
前記固定部から連続して前記設置面から離れた位置に設けられ、前記室外機器の本体部が取り付けられた取付部と、を備え、
前記固定部は、
前記両面の一方側の面であって前記設置面に接触する面である接触面を有する接触部と、
前記接触面の周囲に、前記接触面から連続して前記固定部の端にかけて設けられた面であって、前記設置面から離れて、かつ前記設置面に対向するように設けられるとともに、前記設置面との間に液体が介在する場合、前記液体を前記接触面側に案内する面である案内面を有する案内部と、を備えている室外機器の脚部。
【請求項２】
前記設置面と前記案内面との鉛直方向に沿った距離は、ゼロより大きく、かつ、前記鋼板の肉厚以下となるように設定されている請求項１に記載の室外機器の脚部。
【請求項３】
前記設置面と前記案内面との鉛直方向に沿った距離は、前記接触面から前記固定部の端に向かうにしたがって大きくなるように設定されている請求項２に記載の室外機器の脚部。
【請求項４】
前記接触面の面積は、所定面積以上に設定されている請求項１乃至請求項３の何れか一項に記載の室外機器の脚部。
【請求項５】
前記案内部の端面は、前記鋼板の母材が露出している請求項１乃至請求項４の何れか一項に記載の室外機器の脚部。
【請求項６】
前記室外機器は、燃料電池システムである請求項１乃至請求項５の何れか一項に記載の室外機器の脚部。
【発明の詳細な説明】
【技術分野】
【０００１】
本発明は、室外機器の脚部に関する。
【背景技術】
【０００２】
室外機器の脚部の一形式として、特許文献１に示されているものが知られている。特許文献１の室外機器の脚部は、特許文献１の図６および図７に示すように、脚部（据付脚２０）の底面（裏面）が、室外機器の設置面に接触する。
【先行技術文献】
【特許文献】
【０００３】
【特許文献１】特開２０１４−４３９７７号公報
【発明の概要】
【発明が解決しようとする課題】
【０００４】
しかしながら、特許文献１の室外機器の脚部においては、室外機器が雨に比較的長時間さらされた場合、雨水の表面張力によって脚部の周りに水溜りが発生する。この水溜りは、室外機器の外観を損ねるとともに、脚部の錆の発生の要因となる。
【０００５】
そこで、本発明は、上述した課題を解消するためになされたもので、室外機器の脚部の周りに発生する水溜り等を形成する液体の量を抑制することを目的とする。
【課題を解決するための手段】
【０００６】
上記の課題を解決するため、請求項１に係る室外機器の脚部は、耐食性を有する耐食層を両面それぞれの表層に備えた鋼板を用いて設けられ、室外の設置面に設置される室外機器の脚部であって、設置面に固定部材によって固定される固定部と、固定部から連続して設置面から離れた位置に設けられ、室外機器の本体部が取り付けられた取付部と、を備え、固定部は、両面の一方側の面であって設置面に接触する面である接触面を有する接触部と、接触面の周囲に、接触面から連続して固定部の端にかけて設けられた面であって、設置面から離れて、かつ設置面に対向するように設けられるとともに、設置面との間に液体が介在する場合、液体を接触面側に案内する面である案内面を有する案内部と、を備えている。
【発明の効果】
【０００７】
これによれば、設置面と案内面との間に介在する液体（例えば雨水）と連続して、案内部の周りに液体が溜まる場合、設置面と案内面との間に介在する液体が接触面側に案内されるため、案内部の周りの液体が設置面と案内面との間に吸込まれる。よって、室外機器の脚部の周りに溜まる液体の量を抑制することができる。
【図面の簡単な説明】
【０００８】
【図１】本発明に係る室外機器の脚部の一実施形態が適用された室外機器を示す概要図である。
【図２】図１に示す室外機器の斜視図である。
【図３】図２に示す脚部の斜視図である。
【図４】図３に示すIV-IV線に沿った脚部の断面図である。
【図５】本発明に係る室外機器の脚部の一実施形態の一の変形例を示す断面図である。
【図６】本発明に係る室外機器の脚部の一実施形態の他の変形例を示す断面図である。
【図７】従来技術の室外機器の脚部を示す断面図である。
【発明を実施するための形態】
【０００９】
以下、本発明による室外機器の脚部の一実施形態について図面を参照しながら説明する。本実施形態において、室外機器１は、燃料電池システムである。室外機器１は、図１に示すように、本体部１０および貯湯槽２１を備えている。
【００１０】
本体部１０は、筐体１０ａ、燃料電池モジュール１１、熱交換器１２、電力変換装置１３、水タンク１４、制御装置１５を備えている。燃料電池モジュール１１、熱交換器１２、電力変換装置１３、水タンク１４および制御装置１５は、筐体１０ａ内に収容されている。なお、貯湯槽２１が筐体１０ａに収容されるようにしても良い。
【００１１】
燃料電池モジュール１１は、燃料電池３０を少なくとも含んで構成されるものである。燃料電池３０は、燃料と酸化剤ガスとにより発電するものである。燃料電池３０は、固体酸化物形燃料電池である。燃料は、改質水を用いて改質用原料を改質した改質燃料である。酸化剤ガスは、空気（カソードエア）である。
【００１２】
燃料電池モジュール１１は、供給源Ｇｓから改質用原料が、燃料供給管１１ａを介して燃料ポンプ１１ａ１の駆動によって供給される。燃料電池モジュール１１は、水タンク１４から改質水が、改質水供給路１１ｂを介して改質水ポンプ１１ｂ１の駆動によって供給される。また、燃料電池モジュール１１は、筐体１０ａ内の空気が、カソードエア供給路１１ｃを介してカソードエアブロワ１１ｃ１の駆動によって供給される。
【００１３】
熱交換器１２は、燃料電池モジュール１１から排気される燃焼排ガスが供給されるとともに貯湯槽２１からの貯湯水が供給され、燃焼排ガスと貯湯水とが熱交換する熱交換器である。熱交換器１２は、燃料電池モジュール１１からの排気管１１ｄが接続（貫設）されている。熱交換器１２は、水タンク１４に接続されている凝縮水供給管１２ａが接続されている。
【００１４】
貯湯槽２１は、貯湯水を貯湯するものであり、貯湯水が循環する（図にて矢印の方向に循環する）貯湯水循環ライン２２が接続されている。貯湯水循環ライン２２上には、下端から上端に向かって順番に貯湯水循環ポンプ２２ａおよび熱交換器１２が配置されている。
【００１５】
熱交換器１２において、燃料電池モジュール１１からの燃焼排ガスは、排気管１１ｄを通って熱交換器１２内に導入され、貯湯水との間で熱交換が行われて冷却されるとともに、燃焼排ガス中に含まれる水蒸気が凝縮される。冷却後の燃焼排ガスは排気管１１ｄを通って外部に排出される。また、凝縮された凝縮水は、凝縮水供給管１２ａを通って水タンク１４に供給される。なお、水タンク１４は、凝縮水をイオン交換樹脂によって純水化するようになっている。
【００１６】
上述した熱交換器１２、貯湯槽２１および貯湯水循環ライン２２から、排熱回収システム２０が構成されている。排熱回収システム２０は、燃料電池モジュール１１の排熱を貯湯水に回収して蓄える。
【００１７】
さらに、電力変換装置１３は、燃料電池３０から出力される直流電圧を入力し所定の交流電圧に変換して、交流の系統電源１６ａおよび外部電力負荷１６ｃ（例えば電化製品）に接続されている電源ライン１６ｂに出力する。
【００１８】
また、電力変換装置１３は、系統電源１６ａからの交流電圧を電源ライン１６ｂを介して入力し所定の直流電圧に変換して、補機（各ポンプ１１ａ１，１１ｂ１やブロワ１１ｃ１など）や制御装置１５に出力する。
【００１９】
制御装置１５は、補機を駆動して室外機器１の運転を制御する。制御装置１５は、室外機器１（燃料電池システム）の発電運転中において、燃料電池３０の発電電力を外部電力負荷１６ｃの消費電力となるように制御する（負荷追従運転）。
【００２０】
次に、室外機器１の脚部４０について図２乃至図４を用いて説明する。なお、本明細書においては説明の便宜上、図２における上側および下側をそれぞれ室外機器１の上方および下方とし、同じく左上側および右下側をそれぞれ室外機器１の後方および前方とし、同じく左下側および右上側をそれぞれ室外機器１の左方および右方として説明する。
【００２１】
脚部４０は、図２に示すように、本体部１０の底部に、二つ配置されている。脚部４０が設置面Ｓ（図４参照）に固定されることにより、室外機器１が設置面Ｓに設置される。設置面Ｓは、室外に配置される室外機器１が設置される面である。設置面Ｓは、コンクリート材料によって比較的平坦に設けられている。
【００２２】
脚部４０は、耐食性を有する耐食層を両面それぞれの表層に備えた鋼板を用いて設けられている。耐食層は、例えば亜鉛めっき加工によって形成される。脚部４０は、この鋼板に対してプレス加工が行われることにより設けられる。これにより、脚部４０の端面４０ａは、鋼板の母材が露出している。
【００２３】
脚部４０は、図３に示すように、二つの固定部４１、取付部４２および二つの接続部４３を備えている。固定部４１、取付部４２および接続部４３は、一体に設けられている。脚部４０の左右方向中央部に取付部４２が配置され、取付部４２の左右方向両側に固定部４１がそれぞれ配置されている。接続部４３は、取付部４２と固定部４１とを接続する部位である。取付部４２と固定部４１とは、平行となるように設けられている。接続部４３は、取付部４２および固定部４１に対して垂直となるように設けられている。
【００２４】
二つの固定部４１のうち左側の固定部４１について説明する。右側の固定部４１は、左側の固定部４１と左右対称形状であり、同一の部位については、同一の符号が付してある。
【００２５】
固定部４１は、設置面Ｓに固定部材Ｒ（図２参照）によって固定される部位である。固定部材Ｒは、例えばアンカーボルトである。固定部４１には、固定部材Ｒが配置される溝部４１ａが二つ設けられている。溝部４１ａは、固定部４１の左端から右方に延びるように形成されている。また、固定部４１は、図３および図４に示すように、接触部４１ｂおよび案内部４１ｃを有している。
【００２６】
接触部４１ｂは、鋼板の両面のうち一方側の面であって設置面Ｓに接触する面である接触面４１ｂ１（図４参照）を有する部位である。接触部４１ｂは、右端にて接続部４３と接続する。設置面Ｓのわずかな凹凸や接触面４１ｂ１のわずかな反り等によって、設置面Ｓと接触面４１ｂ１との間には、隙間が形成されている。また、接触面４１ｂ１の面積は、後述する所定面積以上となるように設定されている。
【００２７】
案内部４１ｃは、接触部４１ｂの周囲に設けられた部位である。案内部４１ｃは、具体的には、接触部４１ｂの周縁における接続部４３と接続していない部位に設けられている。すなわち、案内部４１ｃは、固定部４１と接続部４３とが接続する部位に設けられていない。換言すれば、案内部４１ｃは、接触部４１ｂから固定部４１における脚部４０の端にかけて設けられている。案内部４１ｃは、本実施形態においては、接触部４１ｂの前後方向側および左側に設けられている。
【００２８】
案内部４１ｃは、図４に示すように、案内面４１ｃ１を有している。案内面４１ｃ１は、接触面４１ｂ１の周囲に、接触面４１ｂ１から連続して固定部４１の端にかけて設けられた面である。案内面４１ｃ１は、具体的には、接触面４１ｂ１の周縁における接続部４３と接続していない部位に設けられている。すなわち、案内面４１ｃ１は、固定部４１と接続部４３とが接続する部位に設けられていない。換言すれば、案内面４１ｃ１は、接触面４１ｂ１から固定部４１における脚部４０の端にかけて設けられている。案内面４１ｃ１は、本実施形態においては、接触面４１ｂ１の前後方向側および左側に設けられている。
【００２９】
また、案内面４１ｃ１は、設置面Ｓから離れて、かつ設置面Ｓに対向するように設けられている。これにより、案内部４１ｃの端面４１ｃ２は、設置面Ｓに接触していない。なお、上述したように脚部４０の端面４０ａにおいて鋼板の母材が露出しているため、案内部４１ｃの端面４１ｃ２においても鋼板の母材が露出している。
【００３０】
設置面Ｓと案内面４１ｃ１との鉛直方向に沿った距離は、ゼロより大きく、かつ、鋼板の肉厚以下となるように設定されている。本実施形態においては、案内面４１ｃ１の周縁と設置面Ｓとの鉛直方向に沿った距離Ｄｈが鋼板の肉厚と同じとなるように設定されている。
【００３１】
また、設置面Ｓと案内面４１ｃ１との鉛直方向に沿った距離は、接触面４１ｂ１から固定部４１の端に向かうにしたがって大きくなるように設定されている。すなわち、案内面４１ｃ１は、設置面Ｓからの鉛直方向に沿った距離が接触面４１ｂ１から離れるにしたがって大きくなる直線状のテーパ状に形成されている。
【００３２】
このように案内面４１ｃ１が形成されることにより、案内面４１ｃ１は、設置面Ｓとの間に液体Ｌが介在する場合、液体Ｌを接触面４１ｂ１側に案内する。液体Ｌは、例えば、雨水である。
【００３３】
室外機器１が雨に比較的長時間さらされた場合、雨水（液体Ｌ）の表面張力によって、雨水（液体Ｌ）が脚部４０の周りに水溜りＰを形成する。また、この場合、設置面Ｓと案内面４１ｃ１との間にも、雨水（液体Ｌ）が介在する。なお、上述したように案内部４１ｃの端面４１ｃ２が設置面Ｓに接触していないため、脚部４０の周りに溜まる液体Ｌおよび案内面４１ｃ１と設置面Ｓとの間に介在する液体Ｌは、案内部４１ｃの端面４１ｃ２に接触していない。
【００３４】
設置面Ｓと案内面４１ｃ１との間に介在する液体Ｌは、液体Ｌの表面張力によって生じる毛細管現象によって、案内面４１ｃ１に案内されるように接触面４１ｂ１側に移動する（図４の矢印参照）。そして、設置面Ｓと案内面４１ｃ１との間に介在する液体Ｌは、接触面４１ｂ１と設置面Ｓとの間の隙間に入り込んで、その隙間に溜められる。
【００３５】
そして、設置面Ｓと案内面４１ｃ１との間に介在する液体Ｌと連続して溜まっている脚部４０周りの液体Ｌが、設置面Ｓと案内面４１ｃ１との間に吸い込まれる。これにより、脚部４０周りに溜まる液体Ｌの量ひいては水溜りＰの大きさが抑制される。
【００３６】
また、接触面４１ｂ１と設置面Ｓとの間の隙間に溜められる液体Ｌの量が所定量以上となるように、上述した接触面４１ｂ１の所定面積が設定されている。所定量は、雨が止んだ時点から所定時間（例えば１時間）経過した時点に、脚部４０の周囲に発生する水溜りＰの周縁と案内部４１ｃの端面４１ｃ２の周縁との間における案内部４１ｃの端面４１ｃ２の法線方向に沿った長さの水平方向長さＤｓが、所定長さ（例えば５ｃｍ）以下となる量に設定されている。
【００３７】
また、所定面積は、案内面４１ｃ１の面積のおよそ所定倍（例えば５倍）の面積に設定されている。所定時間、所定長さ、および所定倍は、使用者が脚部４０の周りの水溜りＰに対して不快とならない値となるように、予め実験等によって実測されて導出されている。
【００３８】
なお、本実施形態においては、固定部４１における接続部４３と接続する部位においては、案内部４１ｃが設けられていない。本実施形態において、固定部４１の右端が接触部４１ｂの右端に相当し、接続部４３の左端は、設置面Ｓと接触している。
【００３９】
取付部４２は、固定部４１から連続して設置面Ｓから離れた位置に設けられ、室外機器１の本体部１０が取り付けられた部位である。取付部４２は、接続部４３を介して固定部４１から連続して設けられている。取付部４２は、設置面Ｓから上方に配置されている。取付部４２は、接触部４１ｂと平行に設けられている。取付部４２の上面と筐体１０ａの底面とが接触して、例えばボルト（図示なし）によって筐体１０ａの底面に取り付けられている。
【００４０】
また、上述した脚部４０に対して、図７に示す従来技術の室外機器の脚部３４０のように、固定部３４１が接触部３４１ｂのみであって案内部が設けられていない場合、接触面３４１ｂ１と設置面Ｓとの間の隙間に液体Ｌ（雨水）が積極的に案内されない。よって、本発明のように案内部が設けられている場合に比べて、脚部３４０周りに溜まる液体Ｌの量が多くなり、ひいては水溜りＰの大きさが大きくなる。
【００４１】
またこの場合、脚部３４０の端面３４０ａの下端が、設置面Ｓと接触した状態となる。よって、脚部３４０周りに溜まる液体Ｌが脚部３４０の端面３４０ａに常時接触する。
【００４２】
本実施形態によれば、室外機器１の脚部４０は、耐食性を有する耐食層を両面それぞれの表層に備えた鋼板を用いて設けられ、室外の設置面Ｓに設置される室外機器１の脚部４０である。室外機器１の脚部４０は、設置面Ｓに固定部材Ｒによって固定される固定部４１と、固定部４１から連続して設置面Ｓから離れた位置に設けられ、室外機器１の本体部１０が取り付けられた取付部４２と、を備えている。固定部４１は、両面の一方側の面であって設置面Ｓに接触する面である接触面４１ｂ１を有する接触部４１ｂと、接触面４１ｂ１の周囲に、接触面４１ｂ１から連続して固定部４１の端にかけて設けられた面であって、設置面Ｓから離れて、かつ設置面Ｓに対向するように設けられるとともに、設置面Ｓとの間に液体Ｌが介在する場合、液体Ｌを接触面４１ｂ１側に案内する面である案内面４１ｃ１を有する案内部４１ｃと、を備えている。
【００４３】
これによれば、設置面Ｓと案内面４１ｃ１との間に介在する液体Ｌ（例えば雨水）と連続して、案内部４１ｃの周りに液体Ｌが溜まる場合、設置面Ｓと案内面４１ｃ１との間に介在する液体Ｌが接触面４１ｂ１側に案内されるため、案内部４１ｃの周りに溜まっている液体Ｌが設置面Ｓと案内面４１ｃ１との間に吸込まれる。よって、室外機器１の脚部４０の周りに溜まる液体Ｌの量を抑制することができる。
【００４４】
また、設置面Ｓと案内面４１ｃ１との鉛直方向に沿った距離は、ゼロより大きく、かつ、鋼板の肉厚以下となるように設定されている。
これによれば、設置面Ｓと案内面４１ｃ１との間に液体Ｌが介在する場合、その液体Ｌが接触面４１ｂ１側に確実に案内される。
【００４５】
また、設置面Ｓと案内面４１ｃ１との鉛直方向に沿った距離は、接触面４１ｂ１から固定部４１の端に向かうにしたがって大きくなるように設定されている。
これによれば、案内面４１ｃ１は、設置面Ｓからの鉛直方向に沿った距離が接触面４１ｂ１から離れるにしたがって大きくなるテーパ状に形成されている。よって、設置面Ｓと案内面４１ｃ１との間に液体Ｌが介在する場合、その液体Ｌが接触面４１ｂ１側により確実に案内される。
【００４６】
また、接触面４１ｂ１の面積は、所定面積以上に設定されている。
これによれば、設置面Ｓと接触面４１ｂ１との間の隙間に、案内面４１ｃ１によって案内された液体Ｌを所定量以上に溜めることができる。よって、室外機器１の脚部４０の周りに溜まる液体Ｌの量をさらに抑制することができる。
【００４７】
また、案内部４１ｃの端面４１ｃ２は、鋼板の母材が露出している。
これによれば、案内部４１ｃの端面４１ｃ２に対して防錆処理等の表面処理が施されていない。よって、脚部４０の低コスト化を図ることができる。
【００４８】
また、案内面４１ｃ１の周縁が設置面Ｓに接触していないため、案内部４１ｃの周りに液体Ｌが溜まっている場合においても、案内部４１ｃの端面４１ｃ２と液体Ｌとの接触が抑制される。よって、案内部４１ｃの端面４１ｃ２において母材が露出している場合においても、案内部４１ｃの端面４１ｃ２の腐食が抑制される。そして、案内部４１ｃの端面４１ｃ２が腐食した場合においても、案内部４１ｃの端面４１ｃ２と液体Ｌとの接触が抑制されているため、この腐食によって生成された錆が脚部４０の周りに溜まっている液体Ｌに流出することが抑制される。
【００４９】
また、設置面Ｓと案内面４１ｃ１との鉛直方向に沿った距離は、鋼板の肉厚以下であるため、設置面Ｓと案内面４１ｃ１とのなす鋭角が比較的小さい。よって、案内部４１ｃの端面４１ｃ２が腐食した場合においても、案内部４１ｃの端面４１ｃ２は、使用者から視認されにくい。したがって、脚部４０の見栄えの低下が抑制される。
【００５０】
また、室外機器１は、燃料電池システムである。
これによれば、室外機器１が燃料電池システムである場合においても、室外機器１の脚部４０は、上述した効果と同様の効果を有する。
【００５１】
なお、上述した各実施形態において、室外機器の脚部の一例を示したが、本発明はこれに限定されず、他の構成を採用することもできる。例えば、上述した実施形態において室外機器１は、燃料電池システムであるが、これに代えて、空調機器の室外機としても良い。
【００５２】
また、上述した実施形態において、案内部４１ｃは、固定部４１と接続部４３とが接続する部位に設けられていないが、これに代えて、図５に示すように、案内部１４１ｃを、固定部１４１と接続部１４３とが接続する部位に設けるようにしても良い。すなわちこの場合、案内部１４１ｃは、接触部１４１ｂの周縁の全周に亘って設けられている。
【００５３】
また、上述した実施形態において、固定部４１は、取付部４２の左右方向両側にそれぞれ設けられているが、これに代えて、図６に示すように、固定部２４１を、取付部２４２の下方に設けるようにしても良い。
【００５４】
また、上述した実施形態において、脚部４０の端面４０ａは、鋼材の母材が露出しているが、これに代えて、脚部４０の端面４０ａを、鋼材の母材が露出しないようにしても良い。具体的には、脚部４０の端面４０ａに防錆処理をするようにしても良い。
【００５５】
また、上述した実施形態において、設置面Ｓと案内面４１ｃ１との鉛直方向に沿った距離は、ゼロより大きく、かつ、鋼板の肉厚以下となるように設定されているが、これに代えて、設置面Ｓと案内面４１ｃ１との鉛直方向に沿った距離が鋼板の肉厚より大きくなる部位を有するように、案内部４１ｃを設けるようにしても良い。
【００５６】
また、上述した実施形態において、案内面４１ｃ１は、設置面Ｓからの鉛直方向に沿った距離が接触面４１ｂ１から離れるにしたがって大きくなる直線状のテーパ状に形成されているが、これに代えて、曲線状のテーパ状に形成するようにしても良い。
【００５７】
また、上述した実施形態において、接触面４１ｂ１の面積は、所定面積以上に設定されているが、これに代えて、接触面４１ｂ１の面積を、所定面積より小さくするようにしても良い。
【００５８】
また、本発明の要旨を逸脱しない範囲において、取付部４２、固定部４１、接触部４１ｂ、案内部４１ｃ、接触面４１ｂ１および案内面４１ｃ１の形状や大きさを変更するようにしても良い。
【符号の説明】
【００５９】
１…室外機器、１０…本体部、１０ａ…筐体、１１…燃料電池モジュール、３０…燃料電池、４０…脚部、４０ａ…脚部の端面、４１…固定部、４１ａ…溝部、４１ｂ…接触部、４１ｂ１…接触面、４１ｃ…案内部、４１ｃ１…案内面、４１ｃ２…案内部の端面、４２…取付部、４３…接続部、Ｌ…液体、Ｐ…水溜り、Ｓ…設置面。
【図１】
2018206496.tif 000003
【図２】
2018206496.tif 000004
【図３】
2018206496.tif 000005
【図４】
2018206496.tif 000006
【図５】
2018206496.tif 000007
【図６】
2018206496.tif 000008
【図７】
2018206496.tif 000009